Podtech/llm-jp-corpus-v4-ja_patent huggingface dataset:
(57)【特許請求の範囲】
【請求項１】
マスク使用時の両耳において耳紐が耳後部に当たる箇所に耳当て布部材を配置し、前記耳当て布部材は一端を前記マスク側に留め、他端側を開放するとともに、耳紐を互いに挟み込む二枚の耳当て布部材で構成したマスク。
【発明の詳細な説明】
【技術分野】
【０００１】マスク装着時に紐状の耳当て布部材を一定時間の使用により耳後部が痛くなるため、紐状部材にそれを助ける柔軟な帯状部材の新しい耳当て布を使う事によって耳後部の痛みを解消するマスク。
【背景技術】
【０００２】マスク装着時にはゴム紐状の部材を一定時間の使用により耳後部が痛くなるため、紐状部材にそれを助ける柔軟な帯状の耳当て布部材を新しい耳当て布として使う事によって、耳輪後部の痛みを解消する。
【先行技術文献】
【特許文献】
【０００３】
【特許文献１】特開２００４−１７３７７７
【特許文献２】特開２００６−２８８６５０
【特許文献３】特開２００６−３３３９７２
【特許文献４】特開２０１０−１９４２０３
【特許文献５】特開２０２０−０５６１２３
【発明の概要】
【発明が解決しようとする課題】
【０００４】一定時間のマスク装着はゴム紐状などの使用によって耳の後ろ側が痛くなり装着が困難になるので、マスクの紐に耳掛け留めに柔軟な耳当て布部材を取り付ける事によって、その痛みを解消するマスク。
【課題を解決するための手段】
【０００５】前記紐状の耳掛け留めのマスクは耳後部の痛みがともなっていたので帯紐状に連結された柔軟で通気性のある耳当て布部材を使用する事により痛みを解消する。【０００６】上記紐状マスクは長時間の装着において、耳後部に掛けられた紐により痛くなる事があり、上記特許文献５  段落［０００５］と同様な耳掛け留でも部材がよじれたり、ねじれたりするので耳後部に痛みが伴っている。
【発明の効果】
【０００７】マスクの耳当て布部材を一定時間の装着において耳の後ろ側が痛くなる事がない。
【図面の簡単な説明】
【０００８】
【図１】図１はマスクの紐状に耳当て布部材３を取り付けた正面図である。
【図２】図１で示された耳後部にあてられる帯状の耳当て布部材３の下面と上面からの図。
【図３】耳に当てた帯状の耳当て布部材の装着時の耳後部から見た図。
【図４】マスク本体に装着となる耳当て布部材の図。
【図５】メガネ装着時にマスクを装着の図。
【図６】マスク装着時のマスク横透視の顔全体の図。
【発明を実施するための形態】
この項目で図の説明をいたします。
【０００９】図１はマスク本体の正面図であり、帯紐状の耳掛け留めは耳後部が痛くなるのを軽減するために柔軟で通気性のある耳当て布部材をマスクのゴム紐に挟んだ状態の正面図。
【００１０】図２はマスク本体にある両端の紐状に本願発明の耳当て布部材を取り付けた図であり、マスク本体の紐に柔軟で柔らかい布部材を挟んだ時の上面と下面からの図。
【００１１】  図３はマスクをかけた状態で耳当て布部材が耳にかけられた様子を耳の後ろ側から見た図。
【００１２】図４はマスク全体と耳当て布部材をマスクの紐状に取り付けた図。
【００１３】図５はメガネ装着者が耳当て布部材装着のマスク装着時の図。
【００１４】図６は耳当て布部材装着時のマスク装着者を横から見た透視の図
【符号の説明】
【００１５】１  マスク本体
２  耳掛け留めのゴム紐
３  耳当て布部材
４  ステッチ縫い目
５  マスクプリーツ部
【要約】      （修正有）【課題】一定時間装着しても、耳後部が痛くなり、日常生活にも困難が生じることのない、快適に装着できるマスクを提供する。【解決手段】マスクの鼻と口を覆う部と耳後部に掛けるゴム紐の帯状に耳当て布部材３を連結し、マスク装着時を快適にする。【選択図】図４【図１】
0006971437.tif 000002
【図２】
0006971437.tif 000003
【図３】
0006971437.tif 000004
【図４】
0006971437.tif 000005
【図５】
0006971437.tif 000006
【図６】
0006971437.tif 000007